(57)【要約】【課題】  ハードディスクドライブの柔軟性印刷回路とアクチュエータアームとの結合構造を提供する。【解決手段】  柔軟性印刷回路（１２４）と，それを支持するスチフナ（１２１）を持つ柔軟性印刷回路部（１２０）と，柔軟性印刷回路部が結合されるアクチュエータアーム（１００）と，を備えるハードディスクドライブの柔軟性印刷回路とアクチュエータアームとの結合構造において，柔軟性印刷回路部又は上記アクチュエータアームのいずれかには，１つのアライメントホール（１２３）と，アライメントホールに差し込まれるアライメントピンと（１１３），一側が開放されたガイド溝（１２２）と，ガイド溝に嵌め込まれるガイド突起（１１２）が形成され，アライメントホールとアライメントピンとはソルダリングにより固定されることを特徴とする柔軟性印刷回路とアクチュエータアームとの結合構造。【選択図】    図４
2006190458.tif 000002
【特許請求の範囲】
【請求項１】
柔軟性印刷回路と，前記柔軟性印刷回路を支持する支持部材を有する柔軟性印刷回路部と，前記柔軟性印刷回路部が結合されるアクチュエータアームと，を備える，ハードディスクドライブの前記柔軟性印刷回路と前記アクチュエータアームとの結合構造において：
前記柔軟性印刷回路部又は前記アクチュエータアームのいずれかに，１つのアライメントホールと，前記アライメントホールに差し込まれるアライメントピンと，一側が開放されたガイド溝と，前記ガイド溝に嵌め込まれるガイド突起と，が形成され，
前記アライメントホールと前記アライメントピンとはソルダリングにより固定されることを特徴とする，柔軟性印刷回路とアクチュエータアームとの結合構造。
【請求項２】
前記アライメントホール及び前記ガイド溝は，前記支持部材に形成されることを特徴とする，請求項１に記載の柔軟性印刷回路とアクチュエータアームとの結合構造。
【請求項３】
前記アライメントホールは，前記支持部材の中間部位に形成され，前記ガイド溝は，前記支持部材の一側の先端部位に形成されることを特徴とする，請求項２に記載の柔軟性印刷回路とアクチュエータアームとの結合構造。
【請求項４】
前記アライメントピン及び前記ガイド突起は，前記アクチュエータアームに形成されることを特徴とする，請求項１に記載の柔軟性印刷回路とアクチュエータとの結合構造。
【請求項５】
前記アクチュエータアームはモールディング部を有し，
前記ガイド突起及び前記アライメントピンは，前記モールディング部に形成されることを特徴とする，請求項４に記載の柔軟性印刷回路とアクチュエータアームとの結合構造。
【請求項６】
前記アライメントピンは，前記アクチュエータアームに押し込まれることを特徴とする，請求項４に記載の柔軟性印刷回路とアクチュエータアームとの結合構造。
【請求項７】
前記アライメントホールの周囲にはソルダリングパッドが設けられることを特徴とする，請求項１に記載の柔軟性印刷回路とアクチュエータアームとの結合構造。
【請求項８】
柔軟性印刷回路と，前記柔軟性印刷回路を支持する支持部材を有する柔軟性印刷回路部をハードディスクドライブのアクチュエータアームに結合する前記柔軟性印刷回路と前記アクチュエータアームとの結合方法において：
アライメントホールと，アライメントピンと，一側が開放されたガイド溝と，ガイド突起とを，前記柔軟性印刷回路部又は前記アクチュエータアームのいずれかに備えるステップと；
前記アライメントホールに前記アライメントピンを差し込み，前記ガイド溝に前記ガイド突起を嵌め込んで，前記柔軟性印刷回路部を前記アクチュエータアームにアライメントするステップと；
前記アクチュエータアームに前記柔軟性印刷回路を固定させるステップと；
を含むことを特徴とする，柔軟性印刷回路とアクチュエータアームとの結合方法。
【請求項９】
前記柔軟性印刷回路部又は前記アクチュエータアームのいずれか一方に備えるステップは，
前記柔軟性印刷回路を支持する支持部材に前記アライメントホール及び前記ガイド溝を形成するステップを含むことを特徴とする，請求項８に記載の柔軟性印刷回路とアクチュエータアームとの結合方法。
【請求項１０】
前記支持部材に前記アライメントホール及び前記ガイド溝を形成するステップは，
前記支持部材の中間部位に前記アライメントホールを形成し，前記支持部材の一側の先端部位に前記ガイド溝を形成するステップを含むことを特徴とする，請求項９に記載の柔軟性印刷回路とアクチュエータアームとの結合方法。
【請求項１１】
前記柔軟性印刷回路部及び前記アクチュエータアームを備えるステップは，
前記アクチュエータアームに前記アライメントピン及び前記ガイド突起を形成するステップを含むことを特徴とする，請求項８に記載の柔軟性印刷回路とアクチュエータアームとの結合方法。
【請求項１２】
前記アクチュエータアームに前記アライメントピン及び前記ガイド突起を形成するステップは，
前記アクチュエータアームに，モールディング部と前記ガイド突起とを一体に成形するステップを含むことを特徴とする，請求項１１に記載の柔軟性印刷回路とアクチュエータアームとの結合方法。
【請求項１３】
前記アクチュエータアームに前記柔軟性印刷回路を固定させるステップは，
前記アライメントホールの周囲にソルダリングパッドを設けるステップを含むことを特徴とする，請求項８に記載の柔軟性印刷回路とアクチュエータアームとの結合方法。
【請求項１４】
前記アクチュエータアームに前記柔軟性印刷回路を固定させるステップは，
前記ソルダリングパッド及び前記アライメントピンをソルダリングするステップを含むことを特徴とする，請求項１３に記載の柔軟性印刷回路とアクチュエータアームとの結合方法。
【発明の詳細な説明】
【技術分野】
【０００１】
本発明は，ハードディスクドライブに係り，より詳細には，ハードディスクドライブの柔軟性印刷回路とアクチュエータアームとの結合構造，及び，ハードディスクドライブの柔軟性印刷回路とアクチュエータアームとの結合方法に関する。
【背景技術】
【０００２】
ハードディスクドライブ（ＨＤＤ；Ｈａｒｄ  Ｄｉｓｋ  Ｄｒｉｖｅ）は，コンピュータの補助記憶装置のうち一つであり，書き込み／読み出しヘッドによりディスクにデータを記録，又は，ディスクからデータを再生する装置である。
【０００３】
図１は，従来のＨＤＤを概略的に示す平面図であり，図２は，従来のアクチュエータを示す分解斜視図である。
【０００４】
図１及び図２を共に参照すれば，ＨＤＤは，少なくとも一つのデータ記録用ディスク２０と，ベースプレート１０上に設置されてディスク２０を回転させるスピンドルモータ３０と，ディスク２０にデータを記録する，又は，ディスクからデータを再生するための書き込み／読み出しヘッド４１を持つアクチュエータ４０と，を備えている。
【０００５】
上記ディスク２０は，一般的に１又は２枚以上のディスクが互いに所定間隔離れてスピンドルモータ３０により回転可能に設置される。
【０００６】
上記アクチュエータ４０は，ベースプレート１０上に設けられたピボット軸４７を中心に回動自在に設置される。
【０００７】
上記アクチュエータ４０は，ピボット軸４７に回動自在に結合されるように，図２に示す中間部位にピボットホール４８が設けられたアクチュエータアーム４６を備える。
【０００８】
上記アクチュエータアーム４６の一側端部には，書き込み／読み出しヘッド４１が搭載されたスライダ４２をディスクの表面側に付勢されるように支持するサスペンション４４が設置される。そして，上記アクチュエータ４０には，上記アクチュエータアーム４６を回動させるための駆動力を提供するボイスコイルモータ（Ｖｏｉｃｅ  Ｃｏｉｌ  Ｍｏｔｏｒ，ＶＣＭ）５０が設けられる。
【０００９】
上記ＶＣＭ５０には，アクチュエータアーム４６の後端部５７にＶＣＭコイル５６が結合され，上記ＶＣＭコイル５６と所定間隔離れてマグネット５３，５４が設けられる。
【００１０】
かかる構成を持つ従来のＨＤＤにおいて，データの記録／再生作業が進行する間には，書き込み／読み出しヘッド４１が搭載されたスライダ４２には，ディスク２０の回転による揚力及びサスペンション４４による弾性力が作用する。
【００１１】
これにより，スライダ４２は，上記揚力と弾性力とが平衡をなす高さでディスク２０上に浮上した状態を維持するので，スライダ４２に搭載されたヘッド４１は，回転するディスク２０と一定の間隔を維持しつつディスク２０にデータを記録する，又は，ディスク２０からデータを再生する。
【００１２】
上記のような従来のＨＤＤのうちモバイル用として利用される小型ドライブは，柔軟性印刷回路が上記アクチュエータアーム４６に結合される。上記の結合に適用される方法について図３を通じて詳細に説明する。
【００１３】
図３は，従来のＨＤＤのアクチュエータアーム４６に結合される柔軟性印刷回路を示す平面図であって，アクチュエータアームに結合される従来の柔軟性印刷回路を例示的に示すものである。なお，詳細については特許文献１に提示されている。
【００１４】
図３を参照すれば，従来の柔軟性印刷回路（フレキシブル印刷回路，又は，単にフレキシブル回路）６０にはアクチュエータアーム４６との結合のための複数のアライメントホール６１，６２が形成されている。
【００１５】
上記アクチュエータアーム４６には，上記アライメントホール６１，６２にそれぞれ対応するアライメントピン（図示せず。）が形成される。上記アライメントピンが上記アライメントホール６１，６２に結合され，上記柔軟性印刷回路６０及び上記アクチュエータアームがアライメントされる。次いで，上記アライメントピンと上記アライメントホール６１，６２との結合部位がそれぞれソルダリングされる。上記のような方式により，上記柔軟性印刷回路６０が上記アクチュエータアーム４６に固定される。
【００１６】
上記のような従来方式によれば，上記アクチュエータアーム４６に上記柔軟性印刷回路６０を固定させるためには，少なくとも２箇所以上のアライメントと，そのそれぞれに対するソルダリングがなされなければならない。しかし，小型ディスクドライブでは，その内部空間の制約のためにアライメント及びソルダリングが容易ではない。したがって，上記柔軟性印刷回路６０と上記アクチュエータアーム４６との結合工程の作業性／効率性が低下してしまう。
【００１７】
上記で提示された方法以外に，特許文献２では，スクリューを利用して柔軟性印刷回路をアクチュエータアームに結合させる方法が提示される。
【００１８】
しかし，上記のような従来方式によっても，スクリューを使用するために，上記柔軟性印刷回路と上記アクチュエータアームとの結合工程の作業性を根本的に改善し難い。
【００１９】
したがって，ＨＤＤのアクチュエータアームとそれに結合される柔軟性印刷回路の結合構造及びその結合方法の改善が望まれていた。
【００２０】
【特許文献１】米国特許第５４９５３７７号明細書
【特許文献２】米国特許第５６８０２７７号明細書
【発明の開示】
【発明が解決しようとする課題】
【００２１】
本発明は，上記問題点に鑑みてなされたものであり，本発明の目的は，ＨＤＤのアクチュエータアームと柔軟性印刷回路との結合工程の作業性を高めることが可能な，新規かつ改良されたＨＤＤのアクチュエータアームと柔軟性印刷回路との結合構造，及び，ＨＤＤのアクチュエータアームと柔軟性印刷回路との結合方法を提供することである。
【課題を解決するための手段】
【００２２】
上記課題を解決するため，本発明の第１の観点によれば，ＨＤＤの柔軟性印刷回路とアクチュエータアームとの結合構造は，柔軟性印刷回路と，それを支持する支持部材を持つ柔軟性印刷回路部と，上記柔軟性印刷回路部が結合されるアクチュエータアームと，を備えるものである結合構造が提供される。その結合構造は，上記柔軟性印刷回路部および上記アクチュエータアームには，一つのアライメントホールと，上記アライメントホールに差し込まれるアライメントピンと，一側が開放されたガイド溝と，上記ガイド溝に嵌め込まれるガイド突起が形成され，上記アライメントホールとアライメントピンとはソルダリングにより固定されることを特徴としている。
【００２３】
上記アライメントホール及び上記ガイド溝は，上記支持部材に形成されるようにしてもよい。
【００２４】
上記アライメントホールは，上記支持部材の中間部位に形成され，上記ガイド溝は，上記支持部材の一側末端部位に形成されるようにしてもよい。
【００２５】
上記アライメントピン及び上記ガイド突起は，上記アクチュエータアームに形成されるようにしてもよい。
【００２６】
上記アクチュエータアームはモールディング部を持ち，上記ガイド突起及び上記アライメントピンは，上記モールディング部と一体に成形されるようにしてもよい。
【００２７】
上記アライメントピンは，上記アクチュエータアームに押し込まれるように構成されても良く，上記アライメントホールの周囲にはソルダリングパッドが設けられるようにしてもよい。
【００２８】
上記課題を解決するために，本発明の別の観点によれば，柔軟性印刷回路とアクチュエータアームとの結合方法が提供される。その結合方法は，柔軟性印刷回路と，これを支持する支持部材を持つ柔軟性印刷回路部をＨＤＤのアクチュエータアームに結合する柔軟性印刷回路とアクチュエータアームとの結合に係り，アライメントホールと，アライメントピンと，一側が開放されたガイド溝と，ガイド突起とを備える柔軟性印刷回路部及びアクチュエータアームを備えるステップと，上記アライメントホールに上記アライメントピンを差し込み，上記ガイド溝に上記ガイド突起を嵌め込んで，上記柔軟性印刷回路部を上記アクチュエータアームにアライメントするステップと，上記アクチュエータアームに上記柔軟性印刷回路を固定させるステップと，を含むことを特徴としている。
【００２９】
上記柔軟性印刷回路部及び上記アクチュエータアームを備えるステップは，柔軟性印刷回路を支持する支持部材に上記アライメントホール及び上記ガイド溝を形成するステップを含むようにしてもよい。
【００３０】
上記支持部材に上記アライメントホール及び上記ガイド溝を形成するステップは，上記支持部材の中間部位に上記アライメントホールを形成し，上記支持部材の一側末端部位に上記ガイド溝を形成するステップを含むようにしてもよい。
【００３１】
上記柔軟性印刷回路部及び上記アクチュエータアームを備えるステップは，上記アクチュエータアームに上記アライメントピン及び上記ガイド突起を形成するステップを含むようにしてもよい。
【００３２】
上記アクチュエータアームに上記アライメントピン及び上記ガイド突起を形成するステップは，上記アクチュエータアームに，モールディング部と上記ガイド突起とを一体に成形するステップを含むようにしてもよい。
【００３３】
上記アクチュエータアームに上記柔軟性印刷回路を固定させるステップは，上記アライメントホールの周囲にソルダリングパッドを設けるステップを含むようにしてもよい。
【００３４】
上記アクチュエータアームに上記柔軟性印刷回路を固定させるステップは，上記ソルダリングパッド及び上記アライメントピンをソルダリングするステップを含むようにしてもよい。
【００３５】
また，上記課題を解決するために，本発明の別の観点によれば，柔軟性印刷回路と，上記柔軟性印刷回路を支持する支持部材を有する柔軟性印刷回路部と，上記柔軟性印刷回路部が結合されるアクチュエータアームと，を備える，ハードディスクドライブの上記柔軟性印刷回路と上記アクチュエータアームとの結合構造が提供される。上記結合構造は，上記柔軟性印刷回路部又は上記アクチュエータアームのいずれかに，１つのアライメントホールと，上記アライメントホールに差し込まれるアライメントピンと，一側が開放されたガイド溝と，上記ガイド溝に嵌め込まれるガイド突起と，が形成され，上記アライメントホールと上記アライメントピンとはソルダリングにより固定されることを特徴としている。
【００３６】
また，上記課題を解決するために，本発明の別の観点によれば，柔軟性印刷回路と，上記柔軟性印刷回路を支持する支持部材を有する柔軟性印刷回路部をハードディスクドライブのアクチュエータアームに結合する上記柔軟性印刷回路と上記アクチュエータアームとの結合方法が提供される。上記結合方法は，アライメントホールと，アライメントピンと，一側が開放されたガイド溝と，ガイド突起とを，上記柔軟性印刷回路部又は上記アクチュエータアームのいずれかに備えるステップと；上記アライメントホールに上記アライメントピンを差し込み，上記ガイド溝に上記ガイド突起を嵌め込んで，上記柔軟性印刷回路部を上記アクチュエータアームにアライメントするステップと；上記アクチュエータアームに上記柔軟性印刷回路を固定させるステップとを含むことを特徴としている。
【発明の効果】
【００３７】
以上説明したように，本発明によれば，ガイド突起と一側が開放されたガイド溝とが形成されることにより，柔軟性印刷回路とアクチュエータアームとのアライメントを容易に行うことが可能となる。そして，上記柔軟性印刷回路部とアクチュエータアームとが，たった一回のソルダリングによって信頼性のあるように結合されうる。したがって，上記柔軟性印刷回路部と上記アクチュエータアームとの結合工程の作業性，効率性が向上する。
【発明を実施するための最良の形態】
【００３８】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３９】
図４は，本発明の一実施形態に係るＨＤＤの柔軟性印刷回路（フレキシブル印刷回路，又は，単にフレキシブル回路）とアクチュエータアームとの結合構造を示す斜視図であり，図５は，図４に示したアクチュエータアームモールディング部を示す斜視図であり，図６は，図４に示した柔軟性印刷回路部を示す斜視図である。
【００４０】
図４〜図６を共に参照すれば，ＨＤＤのアクチュエータ１００には，ベースプレート上に設けられたピボット軸１０１に回動自在に結合されるように中間部位にピボットホール１１４が形成されたアクチュエータアーム１００が設けられる。そして，上記アクチュエータアーム１００には柔軟性印刷回路部１２０が結合される。
【００４１】
上記アクチュエータアーム１００は，オーバーモールディングにより形成されてＶＣＭコイル１１１が設置されるモールディング部１１０を備える。
【００４２】
本発明の一実施形態によれば，上記モールディング部１１０には，上記柔軟性印刷回路部１２０の結合のためのガイド突起１１２及び１つのアライメントピン１１３が形成される。
【００４３】
上記ガイド突起１１２は，製造工程を単純化するために，上記モールディング部１１０と一体に成形されることが望ましい。そして，上記アライメントピン１１３は，押し込みまたはオーバーモールディングなどで形成できる。ここで，上記柔軟性印刷回路部１２０と上記アクチュエータアーム１００との結合に対する上記アライメントピン１１３の支持力を増大させるために，上記アライメントピン１１３は，オーバーモールディングにより上記アクチュエータアーム１００のモールディング部１１０と一体に形成されることが望ましい。
【００４４】
または，図６に示すように，上記柔軟性印刷回路部１２０は，柔軟性印刷回路１２４と，その下部に設置されるスチフナ１２１とを備える。なお，本実施の形態にかかる柔軟性印刷回路部１２０は，スチフナ１２１を備える場合を例に挙げて説明するが，柔軟性印刷回路１２４を支持することが可能な支持部材であれば，スチフナ１２１に限定されず，他の部材でも実施可能である。
【００４５】
上記柔軟性印刷回路１２４には，ソルダリングが行われる部位であるソルダリングパッド１２５が形成される。上記スチフナ１２１は，上記柔軟性印刷回路１２４を補強してその座屈や，変形などを防止するためのものであって，例えば，ステンレス鋼やポリイミドから形成される。
【００４６】
本発明の一実施形態によれば，上記スチフナ１２１の少なくとも一側の先端部には，上記ガイド突起１１２が嵌め込まれるガイド溝１２２が形成され，上記スチフナ１２１の中間部位には，上記アライメントピン１１３が差し込まれるアライメントホール１２３が形成される。上記ガイド突起１１２及び上記ガイド溝１２２は凸部と凹部，すなわち，凹凸の形状でなる。そして，上記ガイド溝１２２は，一側が上記ガイド突起１１２側に開放された形状をなしている。上記のような凹凸形状及び上記ガイド溝１２２の一側が開放された形状は，上記アクチュエータアーム１００と上記柔軟性印刷回路部１２０とのアライメントを容易にするが，これについては後述する。
【００４７】
本実施形態では，上記アクチュエータアーム１００のモールディング部１１０に上記ガイド突起１１２が形成され，上記柔軟性印刷回路部１２０に上記ガイド溝１２２が形成されるが，これは例示的なものである。すなわち，かかる例に限定されず，上記アクチュエータアーム１００のモールディング部１１０にガイド溝１２２が形成され，上記柔軟性印刷回路部１２０にガイド突起１１２が形成されてもよい。
【００４８】
上記のように構成される本発明の一実施形態に係るＨＤＤの柔軟性印刷回路とアクチュエータとの結合方法について説明する。
【００４９】
まず，上記アライメントホール１２３及び上記ガイド溝１２２を有する柔軟性印刷回路部１２０と，上記アライメントピン１１３及び上記ガイド突起１１２を有するアクチュエータアーム１００とを備える。
【００５０】
次いで，上記ガイド溝１２２に上記ガイド突起１１２を嵌め込む。この時，上記説明のように，上記ガイド溝１２２及び上記ガイド突起１１２は凹凸形状をなし，かつ上記ガイド溝１２２が開放された形状をなしている。したがって，上記ガイド突起１１２を上記ガイド溝１２２に容易に嵌め込むことができて，上記アクチュエータアーム１００と上記柔軟性印刷回路部１２０とのアライメントを容易にガイドできる，即ちアクチュエータアーム１００と柔軟性印刷回路部１２０とを結合するための位置合わせが容易にできる。したがって，上記アクチュエータアーム１００と上記柔軟性印刷回路部１２０とのアライメントが容易に行われる。そして，上記アライメントピン１１３を上記アライメントホール１２３に差し込んで，上記アクチュエータアーム１００と上記柔軟性印刷回路部１２０とのアライメントを完了する。
【００５１】
その後，上記柔軟性印刷回路部１２０及び上記アクチュエータアーム１００を固定させるが，本実施形態では，上記アライメントホール１２３の周囲の上記ソルダリングパッド１２５と上記アライメントピン１１３とをソルダリングして固定させる。
【００５２】
上記のように，本発明の一実施形態では上記ガイド溝１２２／上記ガイド突起１１２と上記アライメントホール１２３／上記アライメントピン１１３とがそれぞれ結合した後，上記ソルダリングパッド１２５と上記アライメントピン１１３とをソルダリングすることによって，上記柔軟性印刷回路部１２０及び上記アクチュエータアーム１００が固定される。上記のような方法によれば，上記柔軟性印刷回路部１２０と上記アクチュエータアーム１００とのアライメントが容易に行われる。また，上記柔軟性印刷回路部１２０と上記アクチュエータアーム１００とが，たった一回のソルダリングによって信頼性のあるように結合されうる。したがって，上記柔軟性印刷回路部１２０と上記アクチュエータアーム１００との結合工程の作業性が向上する。
【００５３】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【産業上の利用可能性】
【００５４】
本発明は，ＨＤＤの柔軟性印刷回路とアクチュエータアームとの結合構造，及び，ＨＤＤの柔軟性印刷回路とアクチュエータアームの結合方法などに適用可能である。
【図面の簡単な説明】
【００５５】
【図１】従来のＨＤＤを概略的に示す平面図である。
【図２】従来のアクチュエータを示す分解斜視図である。
【図３】従来のＨＤＤのアクチュエータアームに結合される柔軟性印刷回路を示す平面図である。
【図４】本発明の一実施形態によるＨＤＤの柔軟性印刷回路とアクチュエータアームとの結合構造を示す斜視図である。
【図５】図４に示したアクチュエータアームモールディング部を示す斜視図である。
【図６】図４に示した柔軟性印刷回路部を示す斜視図である。
【符号の説明】
【００５６】
１００    アクチュエータアーム
１０１    ピボット軸
１１４    ピボットホール
１１０    モールディング部
１１１    ＶＣＭコイル
１１２    ガイド突起
１１３    アライメントピン
１２０    柔軟性印刷回路部
１２１    スチフナ
１２２    ガイド溝
１２３    アライメントホール
１２４    柔軟性印刷回路
１２５    ソルダリングパッド
【図１】
2006190458.tif 000003
【図２】
2006190458.tif 000004
【図３】
2006190458.tif 000005
【図４】
2006190458.tif 000006
【図５】
2006190458.tif 000007
【図６】
2006190458.tif 000008